(57)【要約】【課題】食器具の携帯性に優れた食器具携帯用ケースを提供する。【解決手段】上部が開口したケース本体２と、ケース本体２の上部開口部２ａを開閉する蓋体３とを備え、ケース本体２と蓋体３との間に形成される収納空間Ｋに食器具Ｃ１，Ｃ２を収納することによって、食器具Ｃ１，Ｃ２を携帯可能とする食器具携帯用ケース１であって、ケース本体２は、内側に第１の食器具Ｃ１が収納される収納部４を有し、蓋体３は、内面に第２の食器具Ｃ２が取り付けられる取付部５を有し、蓋体３がケース本体２の上部開口部２ａを閉塞することによって、第１の食器具Ｃ１と第２の食器具Ｃ２とが互いに向かい合った状態で収納空間Ｋに収納される。【選択図】図５
2019195532.tif 000002
【特許請求の範囲】
【請求項１】
上部が開口したケース本体と、前記ケース本体の上部開口部を開閉する蓋体とを備え、前記ケース本体と前記蓋体との間に形成される収納空間に食器具を収納することによって、前記食器具を携帯可能とする食器具携帯用ケースであって、
前記ケース本体は、内側に第１の食器具が収納される収納部を有し、
前記蓋体は、内面に第２の食器具が取り付けられる取付部を有し、
前記蓋体が前記ケース本体の上部開口部を閉塞することによって、前記第１の食器具と前記第２の食器具とが互いに向かい合った状態で前記収納空間に収納されることを特徴とする食器具携帯用ケース。
【請求項２】
前記取付部は、前記第２の食器具を保持する保持部材を有し、
前記保持部材は、前記蓋体の内面に対して着脱自在に取り付けられていることを特徴とする請求項１に記載の食器具携帯用ケース。
【請求項３】
前記保持部材は、弾性部材からなり、
前記第１の食器具と前記第２の食器具とが互いに向かい合った状態において、前記第２の食器具を保持する前記保持部材が前記第１の食器具と当接されることを特徴とする請求項２に記載の食器具携帯用ケース。
【請求項４】
前記保持部材は、前記第２の食器具を着脱自在に保持する一対の保持片を有し、
前記第２の食器具は、前記一対の保持片の間に保持されることを特徴とする請求項２又は３に記載の食器具携帯用ケース。
【請求項５】
前記蓋体が前記ケース本体の上部開口部を閉塞した状態において、前記第２の食器具の一部が前記収納部の内側に位置することを特徴とする請求項１〜４の何れか一項に記載の食器具携帯用ケース。
【請求項６】
前記蓋体は、前記内面の長手方向の中途部に位置して、前記内面の幅方向の両側から互いに内向きに突出された一対のリブ部と、前記内面と前記一対のリブ部との間に形成された一対のスリット部とを有し、
前記保持部材は、幅方向の両側に前記一対のスリット部と係合される一対の係合片を有し、
前記蓋体の内面に沿って前記保持部材を前記蓋体の長手方向の一端側から他端側に向かってスライドさせながら、前記一対のスリット部に前記一対の係合片を係合させることによって、前記蓋体の内面に対して前記保持部材が取り付けられることを特徴とする請求項２〜５の何れか一項に記載の食器具携帯用ケース。
【請求項７】
前記保持部材は、前記一対のスリット部に前記一対の係合片が係合された位置にて前記一対のリブ部の一端側と当接される一対のストッパー部を有することを特徴とする請求項６に記載の食器具携帯用ケース。
【請求項８】
前記保持部材は、前記内面の長手方向の中央よりも他端側に偏倚した位置に取り付けられていることを特徴とする請求項２〜７の何れか一項に記載の食器具携帯用ケース。
【請求項９】
前記蓋体の内面及び前記収納部は、長手方向の一端側から他端側に向かって漸次幅が狭くなる形状を有し、
前記保持部材は、前記長手方向の一端側から他端側に向かって漸次幅が狭くなる形状を有することを特徴とする請求項２〜８の何れか一項に記載の食器具携帯用ケース。
【請求項１０】
前記収納部は、長手方向の一端側に前記第１の食器具の先端側が収納される先端側凹部と、長手方向の他端側に前記第１の食器具の基端側が収納される基端側凹部とを有し、
前記第２の食器具は、先端側を前記長手方向の一端側に向けた状態で、前記取付部に取り付けられることを特徴とする請求項１〜９の何れか一項に記載の食器具携帯用ケース。
【請求項１１】
前記基端側凹部には、前記第１の食器具の基端側の位置を規制する規制部が設けられていることを特徴とする請求項１０に記載の食器具携帯用ケース。
【発明の詳細な説明】
【技術分野】
【０００１】
本発明は、食器具携帯用ケースに関する。
【背景技術】
【０００２】
従来より、箸やスプーン、ナイフ、フォークなどの食器具（カトラリーともいう。）を内側に収納した状態で、弁当箱やスープジャーなどと共に携帯（持ち運び）可能とした食器具携帯用ケースがある（例えば、下記特許文献１などを参照。）。
【０００３】
このような食器具携帯用ケースは、上部が開口したケース本体と、ケース本体の上部開口部を開閉する蓋体とを備え、ケース本体と蓋体との間に形成される収納空間に食器具を収納する構成となっている。
【先行技術文献】
【特許文献】
【０００４】
【特許文献１】特許第４８２０３８５号公報
【発明の概要】
【発明が解決しようとする課題】
【０００５】
ところで、食器具携帯用ケースの中には、箸やスプーンなどの食器具を単体で収納するものとは別に、複数の食器具をまとめて収納可能としたものがある。
【０００６】
しかしながら、例えば、複数の食器具をケース本体の幅方向に並べて収納した場合、ケース本体が幅広となるため、携帯性を損なうことがあった。また、複数の食器具をまとめて収納した場合、食器具が中で動いたり、食器具同士がぶつかり合ったりすることで、携帯時に“カチャ、カチャ”といった不快な音が発生してしまうことがあった。
【０００７】
本発明は、このような従来の事情に鑑みて提案されたものであり、食器具の携帯性に優れた食器具携帯用ケースを提供することを目的とする。
【課題を解決するための手段】
【０００８】
上記目的を達成するために、本発明は以下の手段を提供する。
〔１〕  上部が開口したケース本体と、前記ケース本体の上部開口部を開閉する蓋体とを備え、前記ケース本体と前記蓋体との間に形成される収納空間に食器具を収納することによって、前記食器具を携帯可能とする食器具携帯用ケースであって、
前記ケース本体は、内側に第１の食器具が収納される収納部を有し、
前記蓋体は、内面に第２の食器具が取り付けられる取付部を有し、
前記蓋体が前記ケース本体の上部開口部を閉塞することによって、前記第１の食器具と前記第２の食器具とが互いに向かい合った状態で前記収納空間に収納されることを特徴とする食器具携帯用ケース。
〔２〕  前記取付部は、前記第２の食器具を保持する保持部材を有し、
前記保持部材は、前記蓋体の内面に対して着脱自在に取り付けられていることを特徴とする前記〔１〕に記載の食器具携帯用ケース。
〔３〕  前記保持部材は、弾性部材からなり、
前記第１の食器具と前記第２の食器具とが互いに向かい合った状態において、前記第２の食器具を保持する前記保持部材が前記第１の食器具と当接されることを特徴とする前記〔２〕に記載の食器具携帯用ケース。
〔４〕  前記保持部材は、前記第２の食器具を着脱自在に保持する一対の保持片を有し、
前記第２の食器具は、前記一対の保持片の間に保持されることを特徴とする前記〔２〕又は〔３〕に記載の食器具携帯用ケース。
〔５〕  前記蓋体が前記ケース本体の上部開口部を閉塞した状態において、前記第２の食器具の一部が前記収納部の内側に位置することを特徴とする前記〔１〕〜〔４〕の何れか一項に記載の食器具携帯用ケース。
〔６〕  前記蓋体は、前記内面の長手方向の中途部に位置して、前記内面の幅方向の両側から互いに内向きに突出された一対のリブ部と、前記内面と前記一対のリブ部との間に形成された一対のスリット部とを有し、
前記保持部材は、幅方向の両側に前記一対のスリット部と係合される一対の係合片を有し、
前記蓋体の内面に沿って前記保持部材を前記蓋体の長手方向の一端側から他端側に向かってスライドさせながら、前記一対のスリット部に前記一対の係合片を係合させることによって、前記蓋体の内面に対して前記保持部材が取り付けられることを特徴とする前記〔２〕〜〔５〕の何れか一項に記載の食器具携帯用ケース。
〔７〕  前記保持部材は、前記一対のスリット部に前記一対の係合片が係合された位置にて前記一対のリブ部の一端側と当接される一対のストッパー部を有することを特徴とする前記〔６〕に記載の食器具携帯用ケース。
〔８〕  前記保持部材は、前記内面の長手方向の中央よりも他端側に偏倚した位置に取り付けられていることを特徴とする前記〔２〕〜〔７〕の何れか一項に記載の食器具携帯用ケース。
〔９〕  前記蓋体の内面及び前記収納部は、長手方向の一端側から他端側に向かって漸次幅が狭くなる形状を有し、
前記保持部材は、前記長手方向の一端側から他端側に向かって漸次幅が狭くなる形状を有することを特徴とする前記〔２〕〜〔８〕の何れか一項に記載の食器具携帯用ケース。
〔１０〕  前記収納部は、長手方向の一端側に前記第１の食器具の先端側が収納される先端側凹部と、長手方向の他端側に前記第１の食器具の基端側が収納される基端側凹部とを有し、
前記第２の食器具は、先端側を前記長手方向の一端側に向けた状態で、前記取付部に取り付けられることを特徴とする前記〔１〕〜〔９〕の何れか一項に記載の食器具携帯用ケース。
〔１１〕  前記基端側凹部には、前記第１の食器具の基端側の位置を規制する規制部が設けられていることを特徴とする前記〔１０〕に記載の食器具携帯用ケース。
【発明の効果】
【０００９】
以上のように、本発明によれば、食器具の携帯性に優れた食器具携帯用ケースを提供することが可能である。
【図面の簡単な説明】
【００１０】
【図１】本発明の一実施形態に係る食器具携帯用ケースの構成を示す斜視図である。
【図２】図１に示す食器具携帯用ケースを上方側から見た分解斜視図である。
【図３】図１に示す食器具携帯用ケースを下方側から見た分解斜視図である。
【図４】図１に示す食器具携帯用ケースの長手方向に沿った断面図である。
【図５】図１に示す食器具携帯用ケースの短手方向に沿った断面図である。
【発明を実施するための形態】
【００１１】
以下、本発明の実施形態について、図面を参照して詳細に説明する。
本発明の一実施形態として、例えば図１〜図５に示す食器具携帯用ケース１について説明する。
なお、図１は、食器具携帯用ケース１の構成を示す斜視図である。図２は、食器具携帯用ケース１を上方側から見た分解斜視図である。図３は、食器具携帯用ケース１を下方側から見た分解斜視図である。図４は、食器具携帯用ケース１の長手方向に沿った断面図である。図５は、食器具携帯用ケース１の短手方向に沿った断面図である。
【００１２】
本実施形態の食器具携帯用ケース１は、図１、図２及び図３に示すように、上部が開口したケース本体２と、ケース本体２の上部開口部２ａを開閉する蓋体３とを備えている。食器具携帯用ケース１は、図４及び図５に示すように、蓋体３がケース本体２の上部開口部２ａを閉塞した状態において、ケース本体２と蓋体３との間に形成される収納空間Ｋに第１の食器具Ｃ１及び第２の食器具Ｃ２を収納することによって、これらの食器具Ｃ１，Ｃ２を携帯（持ち運び）可能としている。
【００１３】
具体的に、この図１〜図５に示す食器具携帯用ケース１において、ケース本体２は、第１の食器具Ｃ１として、スプーン（以下、スプーンＣ１とする。）が内側に収納されるスプーン収納部（収納部）４を有している。一方、蓋体３は、第２の食器具Ｃ２として、箸（以下、箸Ｃ２とする。）が内面に取り付けられる箸取付部（取付部）５を有している。また、箸取付部５は、箸Ｃ２を保持する保持部材６を有している。
【００１４】
ケース本体２は、例えばアクリロニトリル・ブタジエン・スチレン（ＡＢＳ）等の熱可塑性樹脂からなる。ケース本体２は、スプーンＣ１及び箸Ｃ２に対応した大きさで平面視で略矩形状に形成された底壁部２ｂと、底壁部２ｂの周囲から立ち上がり形成された周壁部２ｃと、周壁部２ｃの上部で開口した上部開口部２ａとを有して、全体として長尺箱状に形成されている。
【００１５】
一方、蓋体３は、ケース本体２と同じ、例えばアクリロニトリル・ブタジエン・スチレン（ＡＢＳ）等の熱可塑性樹脂からなる。蓋体３は、容器本体２の上部開口部２ａに対応した大きさで平面視で略矩形状に形成された天壁部３ａと、天壁部３ａの周囲から立ち下がり形成された周壁部３ｂとを有して、全体として長尺蓋状に形成されている。
【００１６】
なお、スプーンＣ１及び箸Ｃ２には、例えばポリブチレンテレフタレート（ＰＢＴ）などのケース本体２及び蓋体３よりも耐熱性に優れた樹脂が用いられている。
【００１７】
蓋体３は、ケース本体２の長手方向に沿った一側面に設けられたヒンジ部７を介して開閉方向に回動自在に取り付けられている。ヒンジ部７は、ケース本体２の長手方向に沿った一方の周壁部２ｃと、蓋体３の長手方向に沿った一方の周壁部３ｂとの間の略中央部に位置して、ケース本体２と蓋体３との間を回動自在に支持している。
【００１８】
食器具携帯用ケース１は、蓋体３がケース本体２の上部開口部２ａを閉塞した状態において、互いの周壁部２ｃ，３ｂが突き合わされることによって、その内側にスプーンＣ１及び箸Ｃ２を収納する収納空間Ｋを形成している。
【００１９】
食器具携帯用ケース１は、蓋体３がケース本体２の上部開口部２ａを閉塞した状態において、ケース本体２に対して蓋体３を固定する蓋ロック機構８を備えている。蓋ロック機構８は、ヒンジ部７とは反対側のケース本体２及び蓋体３の側面に沿って設けられている。
【００２０】
具体的に、この蓋ロック機構８は、ケース本体２の周壁部２ｃと蓋体３の周壁部３ｂとのうち、何れか一方の周壁部（本実施形態ではケース本体２の周壁部２ｃ）に設けられた係止凹部８ａと、何れか他方の周壁部（本実施形態では蓋体３の周壁部３ｂ）に設けられた係止凸部８ｂとを有している。
【００２１】
蓋ロック機構８では、蓋体３がケース本体２の上部開口部２ａを閉塞した状態において、係止凹部８ａに係止凸部８ｂが係止されることによって、ケース本体２に対して蓋体３を固定することが可能となっている。一方、蓋ロック機構８では、係止凹部８ａに対する係止凸部８ｂの係止状態を解除することによって、ケース本体２に対して蓋体３を開閉可能な状態とすることができる。
【００２２】
なお、本実施形態の蓋ロック機構８では、上述したケース本体２の周壁部２ｃ側に係止凹部８ａを設けて、蓋体３の周壁部３ｂ側に係止凸部８ｂを設けた構成となっているが、それとは逆の構成、すなわちケース本体２の周壁部２ｃ側に係止凸部８ｂを設けて、蓋体３の周壁部３ｂ側に係止凹部８ａを設けた構成とすることも可能である。
【００２３】
スプーン収納部４（ケース本体２）は、長手方向の一端側から他端側に向かって漸次幅が狭くなる形状を有している。これに対応して、蓋体３も、長手方向の一端側から他端側に向かって内面の幅が漸次狭くなる形状を有している。
【００２４】
スプーン収納部４は、長手方向の一端側にスプーンＣ１の先端側が収納される先端側凹部４ａと、長手方向の他端側にスプーンＣ１の基端側が収納される基端側凹部４ｂとを有している。また、ケース本体２は、先端側凹部４ａが基端側凹部４ｂよりも深く形成されることによって、長手方向の一端側に下方に向けて膨出された膨出部２ｄを有している。
【００２５】
基端側凹部４ｂには、スプーンＣ１の基端側と当接される当接部９が設けられている。また、基端側凹部４ｂには、スプーンＣ１の基端側の位置を規制する規制部１０が設けられている。規制部１０は、スプーン収納部４に収納されたスプーンＣ１の基端部の周囲を囲むように、底壁部２ｂの内面から上方に向かって突出された凸部により構成されている。食器具携帯用ケース１では、この規制部１０によってスプーン収納部４に収納されたスプーンＣ１が前後方向（長手方向）に移動することを規制し、ガタツキの発生を低く抑えることが可能である。
【００２６】
なお、本実施形態では、上述したスプーンＣ１の基端側の位置を規制する規制部１０が設けられた構成に限らず、スプーンＣ１の先端側の位置を規制する規制部（図示せず。）を先端側凹部４ａに設けた構成としてもよい。この場合、先端側凹部４ａの周壁部２ｃから突出された規制部によって、スプーンＣの先端部が上下方向（高さ方向）に移動することを規制し、ガタツキの発生を低く抑えることが可能である。
【００２７】
保持部材６は、例えばシリコーンゴム等の耐熱性を有するゴムやエラストマーなどの弾性部材からなる。保持部材６は、蓋体３の内面に対して着脱自在に取り付けられている。
【００２８】
具体的に、蓋体３は、内面の長手方向の中途部に位置して、内面の幅方向の両側から互いに内向きに突出された一対のリブ部１１ａ，１１ｂと、内面と一対のリブ部１１ａ，１１ｂとの間に形成された一対のスリット部１２ａ，１２ｂとを有している。
【００２９】
一方、保持部材６は、蓋体３の長手方向に沿った一端側から他端側に向かって漸次幅が狭くなる形状を有している。また、保持部材６は、幅方向の両側に一対のスリット部１２ａ，１２ｂと係合される一対の係合片１３ａ，１３ｂを有している。さらに、保持部材６は、一対のスリット部１２ａ，１２ｂに一対の係合片１３ａ，１３ｂが係合された位置にて、一対のリブ部１１ａ，１１ｂの一端側と当接される一対のストッパー部１４ａ，１４ｂを有している。
【００３０】
本実施形態の食器具携帯用ケース１では、蓋体３の内面に沿って保持部材６を蓋体３の長手方向の一端側から他端側に向かってスライドさせながら、一対のストッパー部１４ａ，１４ｂが一対のリブ部１１ａ，１１ｂの一端側と当接される位置（以下、取付位置という。）まで、一対の係合片１３ａ，１３ｂを一対のスリット部１２ａ，１２ｂに係合させる。これにより、保持部材６を蓋体３の内面に取り付けることが可能である。
【００３１】
一方、食器具携帯用ケース１では、上述した取り付け操作とは逆の取り外し操作、すなわち、保持部材６を蓋体３の長手方向の他端側から一端側に向かってスライドさせる。これにより、一対の係合片１３ａ，１３ｂと一対のスリット部１２ａ，１２ｂとの係合状態を解除し、蓋体３の内面から保持部材６を取り外すことが可能である。また、保持部材６と本体ケース２及び蓋体３とを別々に洗浄できるため、蓋体３と保持部材６との間を衛生的に保つことが可能である。
【００３２】
なお、食器具携帯用ケース１では、上述した一対のストッパー部１４ａ，１４ｂの代わりに、一対のスリット部１２ａ，１２ｂの他端側に一対のストッパー部１５ａ，１５ｂを設けた構成としてもよい。この場合も、一対の係合片１３ａ，１３ｂの他端側が一対のストッパー部１５ａ，１５ｂと当接される位置（取付位置）まで、一対の係合片１３ａ，１３ｂを一対のスリット部１２ａ，１２ｂに係合させることが可能である。
【００３３】
保持部材６は、箸Ｃ２を着脱自在に保持する一対の保持片１６ａ，１６ｂを有している。一対の保持片１６ａ，１６ｂは、箸Ｃ２を幅方向の両側から挟み込むように、箸Ｃ２の外形に沿った内面形状を有して、互いに内向きに突出して設けられている。
【００３４】
また、保持部材６は、蓋体３の内面において長手方向の中央よりも他端側に偏倚（シフト）した取付位置に取り付けられている。これにより、箸Ｃ２の先端側を蓋体３の長手方向の一端側に向けた状態で、箸Ｃ２の重心付近を一対の保持片１６ａ，１６ｂ（保持部材６）により保持しながら、箸Ｃ２を箸取付部５に安定した状態で取り付けることが可能である。なお、蓋体３の内面には、箸Ｃ２の取り付ける向きを表示するため、箸Ｃ２の形状に沿ったエンボス部３ｃが設けられている。
【００３５】
また、保持部材６の略中央部には、厚み方向に貫通する１つ又は複数（本実施形態では２つ）の孔部１７が設けられている。本実施形態では、図示を省略するものの、上述した取付位置にて孔部１７に嵌合される嵌合凸部を蓋体３の内面に設けた構成としてもよい。これにより、孔部１７に嵌合凸部が嵌合する際のクリック感によって、保持部材６が取付位置に適切に固定されたことを確認することが可能である。
【００３６】
また、保持部材６は、一対のリブ部１１ａ，１１ｂの先端と当接される一対の段差部１８ａ，１８ｂを有している。一対の段差部１８ａ，１８ｂは、蓋体３の長手方向に沿った一端側から他端側に向かって漸次幅が狭くなる形状を有している。さらに、一対の段差部１８ａ，１８ｂ間の幅は、一対のリブ部１１ａ，１１ｂ間の幅よりも若干大きくなっている。
【００３７】
したがって、取付位置にて一対のリブ部１１ａ，１１ｂと当接される一対の段差部１８ａ，１８ｂが僅かに弾性変形しながら、一対のリブ部１１ａ，１１ｂの間に挟み込まれた状態となる。これにより、保持部材６が取付位置から取り外し側へとずれることを防止し、保持部材６を取付位置に安定した状態で固定することが可能である。
【００３８】
なお、上述した一対の段差部１８ａ，１８ｂ間の幅を一対のリブ部１１ａ，１１ｂ間の幅よりも若干大きくする代わりに、一対のスリット部１２ａ，１２ｂ間の幅に対して一対の係合片１３ａ，１３ｂ間の幅を若干大きくすることによっても、同様の効果を得ることが可能である。
【００３９】
以上のような構成を有する本実施形態の食器具携帯用ケース１では、上述した蓋体３がケース本体２の上部開口部２ａを閉塞することによって、スプーンＣ１と箸Ｃ２とが互いに向かい合った状態で収納空間Ｋに収納されている。
【００４０】
本実施形態の食器具携帯用ケース１では、スプーンＣ１と箸Ｃ２とを上下方向（高さ方向）に重ね合わせることで、この食器具携帯用ケース１の内側にスプーンＣ１及び箸Ｃ２をコンパクトに収納することが可能である。
【００４１】
また、本実施形態の食器具携帯用ケース１では、蓋体３がケース本体２の上部開口部２ａを閉塞した状態において、箸Ｃ２の一部がスプーン収納部４の内側に位置している。これにより、スプーンＣ１と箸Ｃ２とを上下方向（高さ方向）に重ね合わせた場合でも、この食器具携帯用ケース１の高さ寸法を低く抑えることが可能である。
【００４２】
また、弁当箱やスープジャーなどを収納するポーチのポケットなどに、この食器具携帯用ケース１の他端側を差し込み易くすることができるため、優れた携帯性を得ることが可能である。
【００４３】
また、本実施形態の食器具携帯用ケース１では、スプーンＣ１と箸Ｃ２とが互いに向かい合った状態において、箸Ｃ２を保持する一対の保持片１６ａ，１６ｂ（保持部材６）がスプーンＣ１の基端側と当接されている。
【００４４】
この場合、一対の保持片１６ａ，１６ｂ（保持部材６）が僅かに弾性変形しながら、これら一対の保持片１６ａ，１６ｂ（保持部材６）と当接部９との間で、スプーンＣ１の基端側を押さえ込むことができる。また、弾性変形した一対の保持片１６ａ，１６ｂ（保持部材６）により箸Ｃ２を押さえ込むことができる。
【００４５】
これにより、本実施形態の食器具携帯用ケース１では、スプーン収納部４に収納されたスプーンＣ１と、箸取付部５に取り付けられた箸Ｃ２とのガタツキを抑えることが可能である。したがって、この食器具携帯用ケース１の携帯時に、“カチャ、カチャ”といった不快な音が発生するといったことを防ぎつつ、優れた携帯性を得ることが可能である。
【００４６】
なお、本発明は、上記実施形態のものに必ずしも限定されるものではなく、本発明の趣旨を逸脱しない範囲において種々の変更を加えることが可能である。
例えば、上記食器具携帯用ケース１では、第１の食器具Ｃ１としてスプーンを収納し、第２の食器具Ｃ２として箸を収納した構成となっているが、第１の食器具Ｃ１として、スプーンの代わりに、フォークなどを収納することも可能である。また、第２の食器具Ｃ２として、箸の代わりに、ナイフやフォーク、スプーンなどを収納することも可能である。
【符号の説明】
【００４７】
１…食器具携帯用ケース  ２…ケース本体  ２ａ…上部開口部  ２ｄ…膨出部  ３…蓋体  ４…スプーン収納部（収納部）  ４ａ…先端側凹部  ４ｂ…基端側凹部  ５…箸取付部（取付部）  ６…保持部材  ７…ヒンジ部  ８…蓋ロック機構  ９…当接部  １０…規制部  １１ａ，１１ｂ…リブ部  １２ａ，１２ｂ…スリット部  １３ａ，１３ｂ…係合片  １４ａ，１４ｂ…ストッパー部  １５ａ，１５ｂ…ストッパー部  １６ａ，１６ｂ…保持片  １７…孔部  １８ａ，１８ｂ…段差部  Ｋ…収納空間  Ｃ１…スプーン（第１の食器具）  Ｃ２…箸（第２の食器具）
【図１】
2019195532.tif 000003
【図２】
2019195532.tif 000004
【図３】
2019195532.tif 000005
【図４】
2019195532.tif 000006
【図５】
2019195532.tif 000007